(57)【要約】【課題】  扉の開き始めに作動して開扉操作を補助する新規な開扉補助機構を提供する。【解決手段】  閉扉時における扉３の自由側端縁付近に基枠１を設け、この基枠１の扉３の上辺より低い部分に、扉面に対しほぼ垂直に延在するねじ杆１２を設け、その扉面に近い方の一端を扉面に当接可能に臨ませると共に、他端に固定した回り止め部材１１をねじ杆１２に平行なガイド棒９に係合させ、一方、ねじ杆１２の一端部に螺合し、ねじ杆の長さ方向への動きを規制された雌ねじ部材８に従動歯車７を連設し、この従動歯車７を介して雌ねじ部材８を回動させる電動モータ１６を設け、この電動モータ１６の回動により、ねじ杆１２をガイド棒９に沿って往復動させる。【選択図】  図１
2005330686.tif 000002
【特許請求の範囲】
【請求項１】
閉扉時における扉の自由側端縁付近に基枠を設け、この基枠の扉の上辺より低い部分に、扉面に対しほぼ垂直に延在するねじ杆を設け、その扉面に近い方の一端を扉面に当接可能に臨ませると共に、他端に固定した回り止め部材をねじ杆に平行なガイド棒に係合させ、一方、ねじ杆の一端部に螺合し、ねじ杆の長さ方向への動きを規制された雌ねじ部材に歯車を連設し、この歯車を介して雌ねじ部材を回動させる電動モータを設け、他方、この電動モータの回動により、ねじ杆をガイド棒に沿って往復動できるようにしたことを特徴とする開扉補助機構。
【発明の詳細な説明】
【技術分野】
【０００１】
この発明は、新規な開扉補助機構（以下単に補助機構という）に関する。
【背景技術】
【０００２】
油圧シリンダを用いた所謂ドアクローザは、楔作用によりラッチボルトを錠箱内に押込んでのラッチングを確実に行うため、扉の開角度にして例えば５度付近において閉扉トルクがパルス的に大きくなるように設計されている。
【０００３】
そのため、扉の慣性抵抗トルクも大きいことと相俟て、扉を開け始めるときにはかなり大きな操作力を要求されているにも拘らず、従来それに気が付かず、改良しようともせずにドアクローザ付きのドアを使用してきた。
【発明の開示】
【発明が解決しようとする課題】
【０００４】
そこで、この発明は、扉の開き始めに作動して開扉操作を補助する新規な補助機構を提供し、もってドアクローザ付きの扉の開扉にようする負担を軽くして、ドアクローザ付きの扉の使い勝手を向上させることを目的としている。
【課題を解決するための手段】
【０００５】
上記の目的を達成するため、請求項１に記載の発明は、閉扉時における扉の自由側端縁付近に基枠を設け、この基枠の扉の上辺より低い部分に、扉面に対しほぼ垂直に延在するねじ杆を設け、その扉面に近い方の一端を扉面に当接可能に臨ませると共に、他端に固定した回り止め部材をねじ杆に平行なガイド棒に係合させ、一方、ねじ杆の一端部に螺合し、ねじ杆の長さ方向への動きを規制された雌ねじ部材に従動歯車を連設し、他方、この従動歯車を介して雌ねじ部材を回動させる電動モータを設け、この電動モータの回動により、ねじ杆をガイド棒に沿って往復動できるようにしたことを特徴とする。
【発明の効果】
【０００６】
上記のように構成された請求項１に記載の発明は、解錠後のノブやハンドル等による開扉操作に連動させて電動モータに通電すれば、これによって回動された雌ねじ部材がねじ杆の一端を扉面方向に押動するので、ドアクローザの閉扉モーメントに起因する操作力を人の手が出さなくても扉が自動的に開き始め、開き始めたら人の手が更に扉を開くようにすれば、小さい操作力で扉を開けることができる。
【０００７】
また、開き始めの扉の慣性抵抗の排除も補助機構が担持するから、扉の開放に要する力が更に減少し、ドアクローザ付きの扉の使い勝手を更に向上させることができる。
【０００８】
更にまた、人が扉口を通過後ねじ杆が待機位置方向に引込むようにすれば、従来と同様にドアクローザの作用により扉を自動的に閉じることができることは勿論であるが、必要に応じて電動モータの制御回路を切換え、ねじ杆を突出させた状態を保持できるようにすれば、これに係止されて扉が完全に閉まらなくなることを利用し、室内外の通気を図ることができる、等種々の効果を奏する。
【発明を実施するための最良の形態】
【０００９】
電動モータの回転を扉を押動する部材の直線動に変換する機構としてねじ杆とこれに螺合する雌ねじ部材を採用したので、簡単な機構で大きな減速比を得ることができるばかりでなく、開扉時の扉の反力に起因する駆動機構の逆転を、ねじ杆と雌ねじ部材の係合により有効に防止することができる。
【実施例１】
【００１０】
以下、この発明の実施例を図面を参照して説明する。
図１及び図２において符号１は基枠を示し、図示の実施例におけるこの基枠１は、図２に示すように、断面がＬ字形になるように折曲された厚板材で、その取付片２を、図示しない中間部材を介して、図４とは上下逆にした態様で天井付近に固着されている。
【００１１】
なお、基枠１が装着される天井部分は、扉が外開きである場合は室内の天井であり、扉が内開きの場合は室外の天井部分である。
【００１２】
この基枠１の扉３に近い方の前端には、断面コ字形の第１支持ブロック４が、後端には断面Ｌ字形の第２支持ブロック５が夫々ねじ止めされており、その内第１支持ブロック４には、ボールベアリング６を介して、フランジ付筒状でフランジ部を平歯車にした従動歯車７（図１参照）が回動自在に、かつスラスト方向の動きを規制された状態で支持されている。
【００１３】
この従動歯車７の後端（図で右端）側の端面には、従動歯車７と同軸に、例えばフランジ付円筒状の雌ねじ部材８が一体に装着されており、この雌ねじ部材の内周面の全部或いは一部に雌ねじが刻設されているものとする。
【００１４】
なお、図示の実施例における雌ねじ部材８は、フランジ部の外形が小判形に成形されているので、図１及び図２ではフランジ部の寸法が異なるように示されている。
【００１５】
一方、第１及び第２支持ブロック４、５を連結するように、扉面に対しほぼ垂直に延在する一対のガイド棒９、９が設けられており、このガイド棒９、９には、図３に示すように、３個の平行な穴を有する（図４参照）回り止め部材１１が、外側の一対の穴を夫々ガイド棒９に摺動可能に嵌合させた状態で係合している。
【００１６】
上記回り止め部材１１の中央の穴の位置は扉３の上辺より低くなるように設定されており、また、その中央の穴には、ほぼ全長にわたって雄ねじを刻設したねじ杆１２の後端が、例えばねじ止めにより固定されている。
【００１７】
このねじ杆１２はガイド棒９と平行に延在し、図１に実線で示す待機位置においては、その前端部は雌ねじ部材８と螺合すると共に、更にその前方の部分は従動歯車７の内筒部を遊嵌して基枠１外に突出している。
【００１８】
なお、図示の実施例では、ねじ杆１２の前端に例えば合成樹脂製のキャップ１３が被せられ、割りピン１４により固定されている（図１参照）。
【００１９】
他方、図１に示すように、第１支持ブロック４の近傍に減速機１５付のマイクロモータ１６が配設されており、減速機１５の出力軸に装着された駆動歯車１７は前記従動歯車７と噛み合っている。
【００２０】
なお、図１において符号１８はマイクロスイッチを、図２において符号１９はカバーを夫々示す。
【００２１】
上記のように構成されたこの発明の一実施例による補助機構は、図１に示す待機状態においてはマイクロモータ１８への通電が遮断されている。
【００２２】
外出或いは入室の目的でノブや扉のハンドルを回動操作すると、これに連動して図示しない制御回路が作動モードに切り替わり、マイクロモータが通電されて駆動歯車１７が所定の方向に回動する。
【００２３】
すると、従動歯車７が反対方向に回転する結果、これと一体の雌ねじ部材８も同方向に回転し、通常では摩擦係合によってねじ杆１２も回転しようとするが、前記したようにねじ杆１２は回り止め部材１１のガイド棒９、９との係合によりねじ杆１２には回り止めが施されているので、ねじ杆１２は回り止め部材１１と一体に前方に移動し始める。
【００２４】
同時に後方のマイクロスイッチ１８と回り止め部材１１との係合が外れ、マイクロスイッチが切り替わって制御回路も別のモードに切り替わるが、制御回路はこの発明の要旨ではないので更に詳細な説明は省略する。
【００２５】
ねじ杆１２が前方に移動すると、その前端が扉３（図１参照）の自由端部上辺付近を開放方向に押動するので、ねじ杆の押動と同期して扉を開放方向に押動する場合扉を所謂軽く開けることができる。
【００２６】
これは、ねじ杆１２が先に扉を開け、これに少し遅れて人が扉を開けるときも同様である。
【００２７】
ねじ杆１２が一杯に伸長すると、図１に鎖線で示すように、回り止め部材１１が前方のマイクロスイッチ１８を駆動し、図示しない制御回路が切り替わる結果、今度はねじ杆１２が後方に移動し、図１に実線で示す待機位置に戻る。
【実施例２】
【００２８】
なお、この発明は図示の実施例に限定されることなく、種々に変形して実施することができる。
【００２９】
例えば、図示の実施例では従動歯車７と雌ねじ部材８とをスラスト方向、すなわち、ねじ杆１２の長さ方向に連設するものとしたが、これはラジアル方向に連設してもよい。
【００３０】
この場合、図１に示す雌ねじ部材８を廃し、その代わりに従動歯車７の内周面に雌ねじを刻設する（図示せず）。
【図面の簡単な説明】
【００３１】
【図１】この発明の一実施例による補助機構の一部断面下面図。
【図２】そのＩＩ−ＩＩ線による側面図。
【図３】そのＩＩＩ−ＩＩＩ線による背面図。
【図４】回り止め部材の断面図。
【符号の説明】
【００３２】
１  基枠
３  扉
４  第１支持ブロック
５  第２支持ブロック
７  従動歯車
８  雌ねじ部材
９  ガイド棒
１１  回り止め部材
１２  ねじ杆
１６  マイクロモータ
１７  駆動歯車
【図１】
2005330686.tif 000003
【図２】
2005330686.tif 000004
【図３】
2005330686.tif 000005
【図４】
2005330686.tif 000006